(57)【特許請求の範囲】
【請求項１】
天井又は天井近傍位置に敷設される軌道に沿って搬送車が走行する搬送システムにおいて、前記搬送車を前記軌道の坂道軌道部に沿って坂上側に押し上げる搬送車押し上げ装置であって、
前記坂道軌道部に沿って延在するように設けられたガイドレールと、
前記ガイドレールに沿ってスライド可能なスライド部と、
前記スライド部に所定の押し上げ力を伝達し、該スライド部を前記ガイドレールに沿って坂道軌道部の坂上側に押し上げる押し上げ力伝達手段と、
前記所定の押し上げ力が伝達されない状態であっても、前記スライド部が前記ガイドレールの所定位置より坂下側に下降するのを防止する下降防止手段と
を備え、
前記スライド部は、スライド方向と直交し且つ水平な軸線周りに回動可能とされると共に、重心が前記軸線よりも坂下側を向いた位置とされており、前記所定の押し上げ力が伝達されない状態では前記搬送車と干渉しない位置となり、前記所定の押し上げ力が伝達される状態では前記搬送車と当接して前記搬送車を坂上側に押し上げ、
前記下降防止手段は、前記ガイドレールの下側に配置され鋸状の刃部が複数形成された鋸状部材、及び前記スライド部に形成され該スライド部の坂下側が下方に向いて回動した場合に刃部に係止される係止部を有している
ことを特徴とする搬送車押し上げ装置。
【請求項２】
前記ガイドレールは、前記搬送車よりも下側に配置されており、
前記スライド部は、前記ガイドレールに沿ってスライドする第１スライド部、及び該第１スライド部から前記搬送車に当接する上側位置に突出可能とされた第２スライド部を有しており、
前記押し上げ力伝達手段は、前記坂道軌道部の坂上側から延在し前記第１スライド部に連結された第１の引き上げ部材、及び前記坂道軌道部の坂上側から延在し前記第２スライド部に連結された長尺状の第２の引き上げ部材を有しており、
前記第１の引き上げ部材は、引っ張られることで前記第１スライド部及び前記第２スライド部を一体的に坂上側に上昇させ、
前記第２の引き上げ部材は、引っ張られることで前記第２スライド部を前記第１スライド部から前記上側位置へと突出させる
ことを特徴とする請求項１に記載の搬送車押し上げ装置。
【請求項３】
前記スライド部は、前記搬送車に当接する部分に弾性体を有していることを特徴とする請求項１又は２に記載の搬送車押し上げ装置。
【発明の詳細な説明】
【技術分野】
【０００１】
本発明は、例えば天井周辺に敷設された軌道上を複数の搬送車が走行する搬送システムにおいて、登り坂で停止した搬送車を押し上げる搬送車押し上げ装置の技術分野に関する。
【背景技術】
【０００２】
この種の搬送システムとして、天井に敷設された軌道を走行することで、ＦＯＵＰ(Front Opening Unified Pod)等の被搬送物を搬送する懸垂型の搬送車（所謂ＯＨＴ：Overhead Hoist Transport）を備えるものが知られている。このような搬送システムでは、軌道は水平方向に同じ高さで配置されることが好ましい。しかしながら、既存のシステムに新規設備等を増設する際には、やむを得ず軌道に高低差が生じてしまうことがある。
高低差を有する軌道の形成方法としては、例えば複数のレール部材を湾曲するように繋げるという方法が知られている（例えば、特許文献１参照）。また、登り坂における搬送車の走行効率を高めるために、補助レール及び補助輪を設けるという技術が知られている（例えば、特許文献２参照）。
【先行技術文献】
【特許文献】
【０００３】
【特許文献１】特開２００８−１３３３０号公報
【特許文献２】特開２００５−２９０４３号公報
【発明の概要】
【発明が解決しようとする課題】
【０００４】
上述した搬送システムでは、搬送車が故障等によって軌道途中で走行不能となる場合がある。走行不能となった搬送車は、他の搬送車の障害とならないよう、例えば手動で搬送軌道から離脱させられる。ここで特に、搬送車が登り坂において走行不能となってしまうと、搬送車を登り坂の上側まで押し上げて離脱させることが求められる。しかしながら、天井周辺の軌道を走行中の搬送車を手動で押し上げることは決して容易ではない。特に、登り坂が急であったり、その距離が長かったりすると、搬送車の押し上げ作業は極めて困難なものとなる。
【０００５】
本発明は、例えば上述した問題点に鑑みなされたものであり、登り坂において走行不能となった搬送車を好適に押し上げることが可能な搬送車押し上げ装置を提供することを課題とする。
【課題を解決するための手段】
【０００６】
本発明の搬送車押し上げ装置は上記課題を解決するために、天井又は天井近傍位置に敷設される軌道に沿って搬送車が走行する搬送システムにおいて、前記搬送車を前記軌道の坂道軌道部に沿って坂上側に押し上げる搬送車押し上げ装置であって、前記坂道軌道部に沿って延在するように設けられたガイドレールと、前記ガイドレールに沿ってスライド可能なスライド部と、前記スライド部に所定の押し上げ力を伝達し、該スライド部を前記ガイドレールに沿って坂道軌道部の坂上側に押し上げる押し上げ力伝達手段と、前記所定の押し上げ力が伝達されない状態であっても、前記スライド部が前記ガイドレールの所定位置より坂下側に下降するのを防止する下降防止手段とを備え、前記スライド部は、スライド方向と直交し且つ水平な軸線周りに回動可能とされると共に、重心が前記軸線よりも坂下側を向いた位置とされており、前記所定の押し上げ力が伝達されない状態では前記搬送車と干渉しない位置となり、前記所定の押し上げ力が伝達される状態では前記搬送車と当接して前記搬送車を坂上側に押し上げ、前記下降防止手段は、前記ガイドレールの下側に配置され鋸状の刃部が複数形成された鋸状部材、及び前記スライド部に形成され該スライド部の坂下側が下方に向いて回動した場合に刃部に係止される係止部を有している。
【０００７】
本発明の搬送車押し上げ装置が設けられる搬送システムによれば、天井又は天井近傍位置に敷設された軌道を搬送車が走行することで、例えばＦＯＵＰやレチクル等の被搬送物が搬送される。搬送車は、例えば軌道を走行する走行部と、該走行部に取り付けられた搬送部とを備えている。搬送部は、例えば被搬送物を把持する把持部を備えており、被搬送物の積載時には、把持部に把持された被搬送物が搬送部の収容空間に収容される。収容空間は、例えば下方側に向けて開口したコの字状の搬送部における内部の空間として規定されている。
【０００８】
本発明に係る軌道は、少なくとも部分的に坂道軌道部を有している。即ち、水平方向で見た場合に、高さの異なる２つの軌道を接続する傾斜した部分が存在している。そして、本発明の搬送車押し上げ装置は、上述した坂道軌道部に沿って延在するように設けられたガイドレールと、該ガイドレールに沿ってスライド可能なスライド部とを備えている。即ち、スライド部は、ガイドレールに案内されることで、坂道軌道部分に沿う方向にスライド可能とされている。尚、ガイドレールは、坂道軌道部の全てに対応するように設けられることが好ましいが、部分的に設けられる場合であっても、後述する本発明の効果は相応に得られる。
【０００９】
本発明の搬送車押し上げ装置は更に、スライド部に所定の押し上げ力を伝達する押し上げ力伝達手段を備えている。尚、ここでの「所定の押し上げ力」とは、坂道軌道部で停止した搬送車を坂道軌道部の坂上側に押し上げるための力であり、典型的には搬送システムを管理する作業員等によって装置外部から加えられる。スライド部は、所定の押し上げ力が伝達されると、ガイドレールに沿って坂道軌道部の坂上側に押し上げられる。
【００１０】
ここで特に、上述したスライド部は、押し上げ力伝達手段によって所定の押し上げ力が伝達されない状態では、搬送車と干渉しない位置とされる。即ち、搬送車が坂道軌道部で走行不能になっておらず通常通り走行可能な場合には、搬送車の走行を妨げないような位置に退避される。一方で、押し上げ力伝達手段によって所定の押し上げ力が伝達される状態では搬送車と当接するような位置とされる。即ち、搬送車が坂道軌道部で走行不能になっており、坂道軌道部の坂上側に押し上げようとする場合には、搬送車に対して所定の押し上げ力を伝達可能な状態とされる。スライド部は、所定の押し上げ力が伝達されることで坂道軌道部の坂上側に押し上げられるため、スライド部が当接した搬送車は、スライド部と共に坂道軌道部の坂上側に押し上げられる。坂道軌道部の坂上側に押し上げられた搬送車は、他の搬送車の走行を妨げないような位置へと離脱させられる。
【００１１】
本発明では、上述したように、搬送車の押し上げが求められる場合と、搬送車を押し上げる必要のない場合とで、スライド部が互いに異なる位置に存在することになる。よって、通常の搬送における搬送効率を悪化させることなく、必要に応じて好適に搬送車の押し上げを実現できる。また、スライド部は坂道軌道部に沿ったガイドレールに案内されるため、搬送車をより簡単な動作で押し上げることが可能となる。
【００１２】
坂道軌道部で走行停止した搬送車は、坂道軌道部以外（即ち、平坦な箇所）で走行停止した搬送車と比べて、搬送軌道から離脱させることが困難である。具体的には、坂道を押し上げる力が加わる分、搬送車を動かすためにより大きな力が求められ、力を加える方向も坂道軌道部に沿った方向であることが求められる。このような搬送車の押し上げ作業は、坂道軌道部が比較的短い場合や傾斜が緩やかな場合には、さほど問題とはならないが、坂道軌道部が比較的長い場合や傾斜が急な場合には、極めて大きな問題となる。よって、坂道軌道部において好適な搬送車の押し上げを実現できる本発明は、実践上極めて有効であるといえる。
【００１３】
本発明の搬送車押し上げ装置の一態様では、前記ガイドレールは、前記搬送車よりも下側に配置されており、前記スライド部は、前記ガイドレールに沿ってスライドする第１スライド部、及び該第１スライド部から前記搬送車に当接する上側位置に突出可能とされた第２スライド部を有しており、前記押し上げ力伝達手段は、前記坂道軌道部の坂上側から延在し前記第１スライド部に連結された第１の引き上げ部材、及び前記坂道軌道部の坂上側から延在し前記第２スライド部に連結された長尺状の第２の引き上げ部材を有しており、前記第１の引き上げ部材は、引っ張られることで前記第１スライド部及び前記第２スライド部を一体的に坂上側に上昇させ、前記第２の引き上げ部材は、引っ張られることで前記第２スライド部を前記第１スライド部から前記上側位置へと突出させる。
【００１４】
この態様によれば、ガイドレールが搬送車よりも下側に配置されているため、ガイドレールに案内されるスライド部も、搬送車より下側に位置することになる。そして、本態様に係るスライド部には特に、ガイドレールに沿ってスライドする第１スライド部、及び該第１スライド部から搬送車に当接する上側位置に突出可能とされた第２スライド部が有されている。
【００１５】
本態様に係る押し上げ力伝達手段には、坂道軌道部の坂上側から延在し第１スライド部に連結された第１の引き上げ部材、及び坂道軌道部の坂上側から延在し第２スライド部に連結された長尺状の第２の引き上げ部材が有されている。第１の引き上げ部材は、引き上げられることで第１スライド部及び第２スライド部を一体的に坂上側に上昇させる。一方、第２の引き上げ部材は、引き上げられることで第２スライド部を第１スライド部から上側位置（即ち、搬送車と当接する位置）へと突出させる。
【００１６】
上述した構成では、搬送車を押し上げる際、先ず第１の引き上げ部材が引き上げられることによって、第１スライド部及び第２スライド部が対象となる搬送車の位置までスライドされる。続いて、第２部材が引き上げられることによって、第２スライド部が上側位置へと突出される。そして、第２スライド部が搬送車に当接した後は、再び第１スライド部及び第２スライド部が坂上側にスライドされる。これにより、第２スライド部と当接している搬送車も同様に坂上側に押し上げられる。
【００１７】
本態様では、スライド部のガイドレールに沿った移動動作と、搬送車と当接するための突出動作とを別々に行えるため、例えば複数の搬送車が連なって走行不能となった場合等に、対象とする搬送車の押し上げ動作を速やかに行うことができる。
【００１８】
本発明の搬送車押し上げ装置の他の態様では、前記所定の押し上げ力が伝達されない状態であっても、前記スライド部が前記ガイドレールの所定位置より坂下側に下降するのを防止する下降防止手段を更に備える。
【００１９】
この態様によれば、搬送車の押し上げ作業中において、スライド部に所定の押し上げ力が伝達されなくなった場合（例えば、作業者が押し上げ力伝達手段から手を離した場合や、作業者が途中で休憩したい場合）でも、搬送車の坂下側への下降が制限される。このため、搬送車を所定位置まで押し上げておけば、押し上げ作業を所定位置から再開することができる。従って、搬送車の押し上げ作業の効率を向上させることができる。尚、本態様に係る「所定位置」は、一のガイドレールに対して複数設定されていてもよい。
【００２０】
上述した下降防止手段を備える態様では、前記スライド部は、スライド方向と直交し且つ水平な軸線周りに回動可能とされると共に、重心が前記軸線よりも坂下側を向いた位置とされており、前記下降防止手段は、前記ガイドレールの下側に配置され鋸状の刃部が複数形成された鋸状部材、及び前記スライド部に形成され該スライド部の坂下側が下方に向いて回動した場合に刃部に係止される係止部を有している。
【００２１】
この構成によれば、スライド部は、スライド方向と直交し且つ水平な軸線周りに回動可能に支持される。尚、ここでの「直交」及び「水平」とは、完全な直交及び水平を含むほか、直交及び水平とみなせるまでに近い値を含む広い概念である。また、スライド部の重心は、スライド部が回動可能とされた軸線よりも坂下側を向いた位置とされているため、スライド部へ何ら力を加えない場合は、スライド部は坂下側が下方に向いて回動した状態となる。
【００２２】
他方、下降防止手段には、ガイドレールの下側に配置され鋸状の刃部が複数形成された鋸状部材、及びスライド部に形成された係止部が有されている。このため、スライド部の坂下側が下方に向いて回動した場合（即ち、スライド部に所定の押し上げ力が伝達されない場合）には、係止部が鋸状の刃部に係止され、坂下側への下降が制限される。一方で、スライド部の坂下側が下方に向いて回動しない場合（即ち、スライド部に所定の押し上げ力が伝達される場合）には、係止部と鋸状の刃部は互いに干渉せず、スライド可能となったスライド部は好適に押し上げられる。
【００２３】
上述した構成よれば、比較的簡単な構成で下降防止手段を実現でき、スライド部に所定の押し上げ力が伝達されなくなった場合の下降を確実に防止できる。また、スライド部に所定の押し上げ力が伝達される場合には、下降防止手段が自動的に機能しない状態とされるため、好適に押し上げ作業を進めることができる。
【００２４】
本発明の搬送車押し上げ装置の他の態様では、前記スライド部は、前記搬送車に当接する部分に弾性体を有している。
【００２５】
この態様によれば、弾性体によってスライド部と搬送車との当接時の衝撃が緩和される。従って、搬送車の破損や傷つきを的確に抑制することができる。尚、弾性体は、スライド部における搬送車に当接する部分の全てを覆うように設けられる必要はなく、部分的に設けられている場合であっても相応に効果を発揮できる。
【００２６】
本発明の作用及び他の利得は次に説明する発明を実施するための形態から明らかにされる。
【図面の簡単な説明】
【００２７】
【図１】搬送システムの全体構成を示す上面図である。
【図２】搬送車の構成を示す側面図である。
【図３】搬送車の移載動作を示す斜視図である。
【図４】搬送車の横移載動作を示す斜視図である。
【図５】搬送車押し上げ装置の全体構成を示す斜視図である。
【図６】搬送車押し上げ装置における可動クッションの位置変化を示す斜視図である。
【図７】スライド板及びガイドレールの構成を示す側面図（その１）である。
【図８】スライド板及びガイドレールの構成を示す側面図（その２）である。
【発明を実施するための形態】
【００２８】
以下では、本発明の実施形態について図を参照しつつ説明する。
【００２９】
先ず、本実施形態に係る搬送車押し上げ装置が備えられる搬送システムの全体構成について、図１を参照して説明する。ここに図１は、搬送システムの全体構成を示す上面図である。
【００３０】
図１において、本実施形態に係る搬送システムは、軌道１００と、搬送車２００と、コントローラ３００とを備えて構成されている。
【００３１】
軌道１００は、例えば天井に敷設されており、アルミニウムやステンレス等の金属から構成される。尚、ここでの図示は省略しているが、本実施形態に係る軌道１００は、傾斜する坂道軌道部を有しており、坂道軌道部には搬送車押し上げ装置が設けられる。搬送車押し上げ装置の構成については後述する。
【００３２】
搬送車２００は、軌道１００上に複数配置されており、軌道１００に沿って走行することで、被搬送物であるＦＯＵＰを搬送することが可能である。
【００３３】
また搬送車２００は、車上コントローラ２０５を夫々有している。車上コントローラ２０５は、コントローラ３００から搬送指令を受け取り、搬送車２００の走行を制御する。尚、車上コントローラ２０５は、搬送車２００の走行を制御するだけでなく、搬送車２００に備えられた各機器を総括的に制御するという機能も有している。
【００３４】
コントローラ３００は、例えば演算回路やメモリ等を含んで構成されており、車上コントローラ２０５を介して、搬送車２００に搬送指令を与えることが可能に構成されている。
【００３５】
尚、ここでの図示は省略しているが、軌道１００に沿った位置には、ＦＯＵＰを一時的に保管する棚（例えば、バッファやポート等）及び半導体製造装置が設けられている
【００３６】
次に、搬送車２００のより具体的な構成について、図２を参照して説明する。ここに図２は、搬送車の構成を示す側面図である。
【００３７】
図２において、搬送車２００は、走行部２１０、本体部２２０、移動部２３０、昇降部２３５、昇降ベルト２４０、把持部２５０を備えて構成されている。
【００３８】
搬送車２００は、走行部２１０が例えばリニアモータ等によって推進力を与えることで、走行ローラ２１５が転動されつつ、軌道１００に沿って走行する。走行部２１０の下面には、本体部２２０が吊り下がる形で取り付けられている。
【００３９】
本体部２２０には、移動部２３０が取り付けられている。移動部２３０は、軌道１００の側方（即ち、図における左右方向）に移動することが可能である。移動部２３０の下面には、昇降部２３５が取り付けられている。
【００４０】
昇降部２３５の下面には、ＦＯＵＰを把持する把持部２５０が昇降ベルト２４０によって取り付けられている。把持部２５０は、昇降ベルト２４０を巻き出す或いは巻き取ることで、本体部２２０に対し昇降可能である。
【００４１】
次に、搬送車によるＦＯＵＰの移載方法について、図３及び図４を参照して説明する。ここに図３及び図４は夫々、実施形態に係る搬送車のＦＯＵＰの移載方法を示す斜視図である。
【００４２】
図３において、搬送車２００が、軌道１００の真下に位置するポート５１０上のＦＯＵＰ４００を移載する際には、先ず搬送車２００が軌道１００上を走行して、ポート５１０上に設置されたＦＯＵＰ４００の上方に停止する。
【００４３】
続いて、図に示すように、昇降部２３５によって昇降ベルト２４０が巻き出されることで把持部２５０がＦＯＵＰ４００の位置まで降下する。そして、把持部２５０とＦＯＵＰ４００との位置の微調整が行われ、ＦＯＵＰ４００が把持される。
【００４４】
ＦＯＵＰ４００が把持されると、昇降ベルト２４０が巻き取られ、把持部２５０及び把持されたＦＯＵＰ４００が本体部２２０の位置まで上昇する。そして、再び搬送車２００が軌道１００上を走行して、ＦＯＵＰ４００が搬送される。
【００４５】
図４において、ＦＯＵＰ４００が、軌道１００の側方にそれた位置にあるサイドバッファ５２０に設置されている場合には、移動部２３０が軌道１００の側方に移動した後に、昇降部２３５によって昇降ベルト２４０が巻き出され、把持部２５０がＦＯＵＰ４００の位置まで降下する。このように動作することで、軌道部１００からＦＯＵＰ４００の横移載を行うことが可能となる。
【００４６】
次に、本実施形態に係る搬送車押し上げ装置の構成及び搬送車の押し上げ動作について、図５及び図６を参照して説明する。ここに図５は、搬送車押し上げ装置の全体構成を示す斜視図である。また図６は、搬送車押し上げ装置における可動クッションの位置変化を示す斜視図である。
【００４７】
図５において、本実施形態に係る搬送車押し上げ装置は、２本のガイドレール６１０及び６２０と、スライド板６３０と、可動クッション６４０と、複数のワイヤ７１１、７１２、７２１及び７２２と、引き上げワイヤ８１０及び８２０とを備えて構成されている。
【００４８】
２本のガイドレール６１０及び６２０は、軌道１００における坂道軌道部に沿うように、軌道部１００の下側側方に夫々設けられている。これら２本のガイドレール６１０及び６２０間には、本発明の「第１スライド部」の一例であるスライド板６３０が支持されている。スライド板６３０は、２本のガイドレール６１０及び６２０に沿ってスライド可能とされている。
【００４９】
スライド板６３０には、ワイヤ７１１及び７１２によって可動クッション６４０が取り付けられている。可動クッション６４０は、本発明の「第２スライド部」の一例であり、スライド板６３０と共に、２本のガイドレール６１０及び６２０に沿ってスライド可能とされている。可動クッション６４０は、弾性体として構成されている。尚、可動クッション６４０を支えるワイヤ７１１及び７１２の各々には、可動クッション６４０が落下することを防止するストッパ７３０が設けられている。
【００５０】
スライド板６３０には更に、ワイヤ７２１及び７２２が取り付けられている。ワイヤ７２１及び７２２は、スライド板６３０に取り付けられる側と反対側の端部で、ワイヤ７１１及び７１２と互いに接続されている。そして、ワイヤ７１１とワイヤ７２１との接続部分、及びワイヤ７１２とワイヤ７２２との接続部分には、本発明の「第１引き上げ部材」の一例である引き上げワイヤ８１０が接続されている。また、引き上げワイヤ８１０よりワイヤ７１１及び７１２側には、本発明の「第２引き上げ部材」の一例である引き上げワイヤ８２０が接続されている。
【００５１】
本実施形態に係る搬送車押し上げ装置によって、坂道軌道部の途中で走行停止した搬送車２００を押し上げようとする場合には、先ず引き上げワイヤ８１０が作業員等によって引っ張られる。これにより、スライド板６３０に取り付けられたワイヤ７２１及び７２２、並びに可動クッション６４０に取り付けられたワイヤ７１１及び７２２が概ね均等に引き上げられ、スライド板６３０及び可動クッション６４０が一体的に坂上側に移動する。
【００５２】
図６において、スライド板６３０が搬送車２００の下側に到達すると、引き上げワイヤ８１０に代えて引き上げワイヤ８２０が引っ張られる。ここで、引き上げワイヤ８２０は、上述したように、引き上げワイヤ８１０よりワイヤ７１１及び７１２側に接続されている。このため、引き上げワイヤ８２０を引っ張ると、スライド板６３０に取り付けられたワイヤ７２１及び７２２より、可動クッション６４０に取り付けられたワイヤ７１１及び７１２がより多く引き上げられ、結果として可動クッション６４０がスライド板６３０上に移動する。
【００５３】
スライド板６３０上に移動した可動クッション６４０は、搬送車２００の下端側と当接する。従って、当接後も引き上げワイヤ８２０を引き続ければ、スライド板６３０及び可動クッション６４０と共に搬送車２００も坂上側へと押し上げられる。坂道軌道部から押し上げられた搬送車２００は、他の搬送車２００の走行を妨げないよう、搬送軌道とは異なる軌道に離脱させられる。
【００５４】
坂道軌道部で走行停止した搬送車２００は、坂道軌道部以外（即ち、平坦な箇所）で走行停止した搬送車２００と比べて、搬送軌道から離脱させることが困難である。具体的には、坂道を押し上げる力が加わる分、搬送車２００を動かすためにより大きな力が求められ、力を加える方向も坂道軌道部に沿った方向であることが求められる。このような搬送車２００の押し上げ作業は、坂道軌道部が比較的短い場合や傾斜が緩やかな場合には、さほど問題とはならないが、坂道軌道部が比較的長い場合や傾斜が急な場合には、極めて大きな問題となる。よって、坂道軌道部において好適な搬送車２００の押し上げを実現できる本実施形態の構成は、実践上極めて有効であるといえる。
【００５５】
次に、上述した搬送車押し上げ装置におけるスライド板及びガイドレールの具体的な構成について、図７及び図８を参照して説明する。ここに図７及び図８は夫々、スライド板及びガイドレールの構成を示す側面図である。尚、図７及び図８では、説明の便宜上、図５及び図６で示した搬送車押し上げ装置を構成する詳細な部材の図示を適宜省略している。
【００５６】
図７において、スライド板６３０は、突起部６３１がガイドレール６１０及び６２０に設けられたガイド溝部９１０に係合することで支持されている。またスライド板６３０は、突起部６３１を軸心として回動可能とされている。尚、ここでの突起部６３１の形状は、突起しているもの限定されない。即ち、スライド板６３０に係合し、該スライド板６３０をガイド溝部９１０の延在方向にのみスライド可能とする（即ち、他の方向への移動を不能とする）ような形状の部材が、突起部６３１に代えて設けられてもよい。スライド板６３０の坂下側の端部には錘６３２が取り付けられている。このため、スライド板の重心は坂下側となり、図に示すようにワイヤ７２１が引き上げられていない状態であれば、錘６３２を取り付けた側が下方になるよう回動する。
【００５７】
スライド板６３０の下方側には、鋸状部材９２０が設けられている。このため、スライド板６３０が錘６３２を下にして回動すると、鋸状部材９２０の刃部に、錘６３２が係止された状態となる。即ち、ここでの錘６３２は、本発明の「係止部」の一例としても機能し、スライド板６３０の坂下側への下降を制限する。
【００５８】
図８において、ワイヤ７２１が引き上げられている場合には、スライド板６３０は、ガイド溝部９１０に概ね平行な状態となる。よって、錘６３２が鋸状部材９２０の刃部に係止されず、スライド板６３０は、ガイド溝部９１０に沿ってスライド可能な状態となる。
【００５９】
上述した構成によれば、搬送車２００の押し上げ作業中において、スライド板６３０及び可動クッション６４０に所定の押し上げ力が伝達されなくなった場合（例えば、作業者が引き上げワイヤ８２０から手を離した場合や、作業者が途中で休憩したい場合）でも、搬送車２００の坂下側への下降が制限される。このため、搬送車２００を所定位置まで押し上げておけば、押し上げ作業を所定位置から再開することができる。従って、搬送車２００の押し上げ作業の効率を向上させることができる。
【００６０】
以上説明したように、本実施形態に係る搬送車押し上げ装置によれば、登り坂において走行不能となった搬送車２００を、好適に坂上側に押し上げることが可能である。
【００６１】
本発明は、上述した実施形態に限られるものではなく、特許請求の範囲及び明細書全体から読み取れる発明の要旨或いは思想に反しない範囲で適宜変更可能であり、そのような変更を伴う搬送車押し上げ装置もまた本発明の技術的範囲に含まれるものである。
【符号の説明】
【００６２】
１００…軌道、２００…搬送車、２１０…走行部、２１５…走行ローラ、２２０…本体部、２３０…移動部、２４０…昇降ベルト、２５０…把持部、３００…コントローラ、４００…ＦＯＵＰ、５１０…ポート、５２０…サイドバッファ、６１０，６２０…ガイドレール、６３０…スライド板、６３１…突起部、６３２…錘、６４０…可動クッション、７１１，７１２，７２１，７２２…ワイヤ、８１０，８２０…引き上げワイヤ、９１０…ガイド溝部、９２０…鋸状部材。
【図１】
0005772055.tif 000002
【図２】
0005772055.tif 000003
【図３】
0005772055.tif 000004
【図４】
0005772055.tif 000005
【図５】
0005772055.tif 000006
【図６】
0005772055.tif 000007
【図７】
0005772055.tif 000008
【図８】
0005772055.tif 000009